(57)【要約】【課題】  キャリッジの大形化や重量増を招くことなく、キャリッジの移動方向による目移しの制限を解消可能な編地編成用カム装置を提供する。【解決手段】  スライダガイドカム２０２には、目受け用スライダカム１２１の保持続行用のカムルート１２１ａに連通するカムルート２０２が設けられる。スライダ用目移しレイジングカム２４１は、編成カム２０とスライダ用目移しカム１１１との間に配置されるスライダ用目移しレイジングカム４１と同等である。スライダ用目移しレイジングカム２４１でスライダのバットを、保持続行用のカムルート１２１ａに案内すると、目受けカム群１２０側でも、編目を歯口２に進出するスライダで保持することができる。スライダに保持される編目は、キャリッジの反転時に対向する針床から歯口２に進出する針本体のフックに移すことができる。【選択図】  図１
2010090488.tif 000002
【特許請求の範囲】
【請求項１】
フックに対して前後進自在なスライダの先端がフックを挟むように二つに分れている複合針を編針とし、編針が並設される針床を歯口の前後で対峙するように備える横編機で、各針床に設けられて、歯口の左右に往復移動し、前針床では左右の一方、後針床では左右の他方がそれぞれ順方向となるキャリッジに搭載される編地編成用カム装置であって、
編針を選択的に駆動して編成動作を行わせる案内経路を左右の両方向に対して備える編成カムと、
編成カムに対して、順方向の後行側に配置され、順方向の移動で編目を対向する針床側に移す動作を編針に行わせる案内経路を備える目移しカム群と、
編成カムに対して、順方向の先行側に配置され、逆方向の移動で対向する針床側から移される編目を受取る動作を編針に行わせる案内経路を備える目受けカム群と
を含み、
前後のキャリッジ間では、目移しカム群と目受けカム群とが対向し、
目受けカム群は、対向する目移しカム群の作用で歯口を越えて移される編目を、フックで受取る目移し動作用の案内経路と、スライダで受取って歯口に進出している状態で保持する動作用の案内経路と、編針の動作をいずれかの案内経路に切替える機構とを含み、
編成カム、目移しカム群および目受けカム群を通し、左右の両方向の移動に対してスライダが歯口に進出して編目を保持している状態を保つ続行用の案内経路が設けられ、
各キャリッジには、編成カムと目受けカム群との間に、逆方向の移動に対して、編成カムで歯口に進出させたスライダを続行用の案内経路に案内するか否かを切替えるスライダ目移しレイジングカムが配置され、
キャリッジの逆方向の移動時には、スライダ目移しレイジングカムでスライダを続行用の案内経路に案内して、編目を保持するスライダが歯口に進出している状態とし、
キャリッジ反転後の順方向の移動時には、スライダに保持する編目を、歯口を越えて、対向する目移しカム群の作用で動作する編針に移す動作を行うことを特徴とする編地編成用カム装置。
【請求項２】
前記反転後の順方向の移動時に、前記目受けカム群の後行側となる前記編成カムで編目を編成するように駆動するとともに、前記対向するキャリッジでも編成カムで編目を編成するように駆動することを特徴とする請求項１記載の編地編成用カム装置。
【請求項３】
前記対向するキャリッジでは、前記編目が移される編針を駆動して、該編目に続く編目を編成するように駆動することを特徴とする請求項１または２記載の編地編成用カム装置。
【発明の詳細な説明】
【技術分野】
【０００１】
本発明は、横編機の針床に沿って往復移動するキャリッジに搭載され、針床に配設される複合針を選択的に編成駆動する編地編成用カム装置に関する。
【背景技術】
【０００２】
従来から、歯口を挟んで前後に針床を備える横編機では、一方の針床での表目と他方の針床での裏目とでリブ組織などを編成したり、編糸を前後の針床に周回させるように供給して筒状の編地を編成したりすることができる。各針床には、多数の編針が歯口に沿って一定のピッチで配設され、キャリッジに搭載される編地編成用カム装置による選択的な駆動で、各編針は歯口に進退して編地編成のための動作を行う。
【０００３】
図６は、従来からの編地編成用カム装置１０１の構成の一例を、針床に臨む側から見た状態のカム配置として示す（たとえば、特許文献１参照）。この編地編成用カム装置１０１の構成は、特許文献１の図９に示されているものに基づく。筒状編地１を歯口２で編成する際には、前針床Ｆで編成する前編地と後針床Ｂで編成する後編地とを、編幅の両側で連結するように、編糸を周回させるだけでは、平編組織の筒状編地１しか編成することができない。前後の針床間での目移しを含めれば、リブ組織などを含む筒状編地１を編成することができる。さらに、編針として、針本体とスライダとが組合わされる複合針を使用することができる。
【０００４】
編地編成用カム装置１０１は、歯口２を挟んで対向する前針床Ｆと後針床Ｂとにそれぞれ設けられるキャリッジ１０３，１０４に搭載される針本体用カム１０、スライダ用カム１１、選針機構１２などを含む。各カムは、キャリッジ１０３，１０４が針床に臨む地板の表面に設けられ、地板の表面から針床側に突出する。クロスハッチを施している面は、地板の表面と突出するカム面とを連続的につなぐ傾斜面である。
【０００５】
複合針は、特許文献１の図２および図３に開示されているように、針本体とスライダとが相対的に変位可能であり、スライダの先端のタングで針本体の先端のフックを開閉し、スライダのタングをフックよりも歯口２に進出させて、目移しや編目の保持を行う。スライダを利用して目移しや編目の保持に関する動作を効率よく行うためには、スライダのタングを含む先端部分がフックを挟むように二股に分れる必要がある。編針は、針床に形成される針溝に収容され、歯口２から離れる側の部分は、ニードルジャック、セレクトジャック、およびセレクタなどが順次組合わされている。ニードルジャックは、針本体の尾部に連結され、ニードルジャックから針溝の表面側に突出するバットが針本体用カム１０の作用を受けて、針本体の駆動が行われる。スライダも針溝から突出してスライダ用カム１１の作用を受けるバットを有する。
【０００６】
選針機構１２は、各編針の尾端側に設けられるセレクタに作用する選針アクチュエータ１３、セレクタ浮上カム１４、セレクタ押上げカム１５およびセレクタガイドカム１６を含む。セレクタ浮上カム１４は、針床の尾端で針溝の底面側に回り込んで、セレクタの尾部を針溝内で浮上するよう作用する。セレクタが針溝内で浮上していると、編針は選択状態となる。選針アクチュエータ１３がセレクタの選択用バットを押圧すると、セレクタが針溝内に沈み、非選択状態になる。セレクタには、尾端側と先端側とにバットが設けられ、尾端側のバットには、選択状態でセレクタ押上げカム１５が作用する。セレクタの先端側のバットには、セレクタガイドカム１６が作用する。
【０００７】
選針機構１２による選針結果は、編成カム２０でのバットの案内経路を変化させて、編針毎に、用意されている範囲で、編成動作を選択することができる。編成カム２０は、レイジングカム２１、ガードカム２２、度山２３，２４、ゴム山２５，２６および可動プレッサ３０を含む。レイジングカム２１で、ニードルジャックのバットを歯口２側に上昇させる傾斜した上昇カム面は可動であり、地板に対して出没する。レイジングカム２１の中央の固定部分とガードカム２２の間に形成される案内路は、針本体をニット位置まで歯口２に進出させる。度山２３，２４は、ガードカム２２の側方の傾斜カムの延長方向に移動可能であり、歯口２で編糸の供給を受けたフックを引込む量を調整することができる。ゴム山２５，２６は可動であり、地板から出没し、弾性糸を挿入するインレイ編成に利用することができる。可動プレッサ３０は、セレクトジャックのバットに作用し、押圧してセレクトジャックを針溝に沈めることができる。セレクトジャックが針溝に沈められると、ニードルジャックのバットは編成カム２０の作用を受けなくなる。
【０００８】
編地編成用カム装置１０１での選針には、編成カム２０の両側に配置される選針機構１２とともに、セレクトジャックハーフ下げカム３１，３２、セレクトジャック下げカム３３，３４およびセレクトジャックプレッサ３５も用いられる。セレクトジャック下げカム３３，３４は可動であり、地板から出没する。
【０００９】
編地編成用カム装置１０１は、編成カム２０について単カムの構成であるけれども、目移しを可能にするための目移し用カム群１１０および目受け用カム群１２０を備える。各編地編成用カム装置１０１は、筒状編地１に矢印で示す順方向へのキャリッジ１０３，１０４の移動に対して、編成カム２０の下流側には目移しカム群１１０、上流側には目受けカム群をそれぞれ備えている。前後のキャリッジ１０３，１０４間では、歯口２を挟んで目移し用カム群１１０と目受け用カム群１２０とが相互に対向するように配置される。
【００１０】
目移し用カム群１１０は、目移し側スライダレイジングカム４１、目移し側編目受けカム４３およびスライダ目移しカム１１１を含む。目移し側スライダレイジングカム４１および目移し側編目受けカム４３は、それぞれ可動であり、地板から出没する。スライダ目移しカム１１１には、編目をタングに保持するスライダが歯口２に進出している状態を保つカムルート１１１ａが形成されている。
【００１１】
目受け用カム群１２０は、目受け側編目受けカム５１、目受け側保持レイジングカム５２および目受け用スライダカム１２１を含む。目受け側編目受けカム５１および目受け側保持レイジングカム５２は、それぞれ可動であり、地板から出没する。目受け用スライダカム１２１には、歯口２に進出しているスライダで編目を保持する状態を続行させるためのカムルート１２１ａが形成されている。また、目受け用カム群１２０には、ニードルジャックガイドカム１２２およびホールド用プレッサ１２３も含まれる。
【００１２】
図７は、図６の編地編成用カム装置１０１で筒状のリブ組織を編成する場合に行う機能の切替え状態を示す。機能の切替えは、可動のカムやプレッサを制御して行われる。編地編成用カム装置１０１では、前のキャリッジ１０３では、順方向となる左行時に目移し用カム群１１０による目移しが可能であり、逆方向となる右行時に目受け用カム群１２０による目受けが可能である。後のキャリッジ１０４では、順方向となる右行時に目移し用カム群１１０による目移しが可能であり、逆方向となる左行時に目受け用カム群１２０による目受けが可能である。したがって、前から後への目移しは左行時に、後から前への目移しは右行時に、共に編成カム２０の後行側で行われる。
【００１３】
以下、コースｃ１〜ｃ１０の１０コース分のキャリッジ１０３，１０４の移動で、リブ組織の筒状編地１が１コース分編成される。コースｃ１の開始前には、前後の針床で、各針床で表目を編成するリブ組織の裏目もそれぞれ係止している状態にしておく。また、針抜き編成で、対向する針床で係止する裏目を目移し可能なように、空き針を設けておく。
【００１４】
最初のコースｃ１では、前後のキャリッジ１０３，１０４の左行で、前針床で係止する裏目を後針床に目移しする。次のコースｃ２は空のコースであり、キャリッジが反転して右行する。次のコースｃ３の左行で、前針床では表目の編成Ｋ、後針床では裏目の編成ｋを行う。次のコースｃ４では、キャリッジの右行で、後針床で編成した裏目を前針床に目移しする。次のコースｃ５は空のコースであり、キャリッジが反転して左行する。
【００１５】
次のコースｃ６では、後針床に係止している裏目を、キャリッジの右行で、前針床に目移しする。次のコースｃ７は空のコースであり、キャリッジが反転して左行する。次のコースｃ８の右行で、前針床では裏目の編成ｋ、後針床では表目の編成Ｋを行う。次のコースｃ９は空のコースであり、キャリッジが反転して左行する。次のコースｃ１０の右行で、前針床で編成した裏目を後針床に目移しする。以下、コースｃ１〜ｃ１０を繰返す。
【特許文献１】特許第４０１５９８２号公報
【発明の開示】
【発明が解決しようとする課題】
【００１６】
図７に示すように、リブ組織の筒状編地１を編成する場合、表目と裏目との配置換えのための目移しを必要とする。図６に示すような編地編成用カム装置１０１では、キャリッジ１０３，１０４の往復走行に対し、目移しが順方向にしか可能とはならないので、何の編成もしないでキャリッジ１０３，１０４のみを移動させる空のコースが発生する。
【００１７】
編成カム２０の両側に目移しと目受けとが可能なカムを配置すれば、空のコースの発生を防ぐことができる。しかしながら、編地編成用カム装置１０１の構成が複雑化し、キャリッジ１０３，１０４の大形化や重量増を招く。キャリッジ１０３，１０４が大形化すると、移動方向を反転するために編幅外に要するスペースが大きくなり、特に、編幅があまり大きくない小物の編地を編成するような場合の編成効率が低下する。キャリッジ１０３，１０４の重量が増加すると、加速や減速に要する時間が長くなり、編成効率が低下する。
【００１８】
本発明の目的は、キャリッジの大形化や重量増を招くことなく、キャリッジの移動方向による目移しの制限を解消可能な編地編成用カム装置を提供することである。
【課題を解決するための手段】
【００１９】
本発明は、フックに対して前後進自在なスライダの先端がフックを挟むように二つに分れている複合針を編針とし、編針が並設される針床を歯口の前後で対峙するように備える横編機で、各針床に設けられて、歯口の左右に往復移動し、前針床では左右の一方、後針床では左右の他方がそれぞれ順方向となるキャリッジに搭載される編地編成用カム装置であって、
編針を選択的に駆動して編成動作を行わせる案内経路を左右の両方向に対して備える編成カムと、
編成カムに対して、順方向の後行側に配置され、順方向の移動で編目を対向する針床側に移す動作を編針に行わせる案内経路を備える目移しカム群と、
編成カムに対して、順方向の先行側に配置され、逆方向の移動で対向する針床側から移される編目を受取る動作を編針に行わせる案内経路を備える目受けカム群と
を含み、
前後のキャリッジ間では、目移しカム群と目受けカム群とが対向し、
目受けカム群は、対向する目移しカム群の作用で歯口を越えて移される編目を、フックで受取る目移し動作用の案内経路と、スライダで受取って歯口に進出している状態で保持する動作用の案内経路と、編針の動作をいずれかの案内経路に切替える機構とを含み、
編成カム、目移しカム群および目受けカム群を通し、左右の両方向の移動に対してスライダが歯口に進出して編目を保持している状態を保つ続行用の案内経路が設けられ、
各キャリッジには、編成カムと目受けカム群との間に、逆方向の移動に対して、編成カムで歯口に進出させたスライダを続行用の案内経路に案内するか否かを切替えるスライダ目移しレイジングカムが配置され、
キャリッジの逆方向の移動時には、スライダ目移しレイジングカムでスライダを続行用の案内経路に案内して、編目を保持するスライダが歯口に進出している状態とし、
キャリッジ反転後の順方向の移動時には、スライダに保持する編目を、歯口を越えて、対向する目移しカム群の作用で動作する編針に移す動作を行うことを特徴とする編地編成用カム装置である。
【００２０】
また本発明は、前記反転後の順方向の移動時に、前記目受けカム群の後行側となる前記編成カムで編目を編成するように駆動するとともに、前記対向するキャリッジでも編成カムで編目を編成するように駆動することを特徴とする。
【００２１】
また本発明の前記対向するキャリッジでは、前記編目が移される編針を駆動して、該編目に続く編目を編成するように駆動することを特徴とする。
【発明の効果】
【００２２】
本発明によれば、キャリッジが順方向に移動する際には、目移しカム群から対向する針床側の目受けカム群に目移しすることができる。キャリッジが逆方向に移動する際には、スライダ目移しレイジングカムでスライダを続行用の案内経路に案内して、編目を保持するスライダが歯口に進出している状態とし、キャリッジ反転後の順方向の移動時に、編目を対向する目移しカム群の作用で動作する編針に移すことができる。スライダ目移しレイジングカムの追加で、キャリッジの大形化や重量増を招くことなく、キャリッジの移動方向による目移しの制限を解消することができる。
【００２３】
また本発明によれば、目移しに続くキャリッジの同一行程で、編目の編成を行うことができるので、編成カムを有効に活用することができる。
【００２４】
また本発明によれば、編目を移される編針で、目移しに続くキャリッジの同一行程で、移される編目に続く編目を編成することができるので、キャリッジの行程数を削減して、編成効率を向上させることができる。
【発明を実施するための最良の形態】
【００２５】
図１は、本発明の実施の一形態として、キャリッジ２００の地板上に形成される編地編成用カム装置２０１の概略的な構成を示す。キャリッジ２００は、図５のキャリッジ１０３，１０４と同様に、歯口２を挟んで前後で対向する針床にそれぞれ設けられるけれども、一方のみを示す。編地編成用カム装置２０１で編地編成用カム装置１０１に対応する部分には同一の参照符を付して、重複する説明を省略する。編地編成用カム装置２０１でも、図６の筒状編地１の前針床Ｆ側をキャリッジ２００の左行で編成し、後針床Ｂ側をキャリッジ２００の右行で編成することを前提に順方向と逆方向とを、編地編成用カム装置１０１と同様に設定する。したがって、編地編成用カム装置１０１について特許文献１に記載されている動作は、編地編成用カム装置２０１でも同様に実行することができる。
【００２６】
編地編成用カム装置２０１は、スライダ用カム１１に、スライダガイドカム２０２を含む。スライダガイドカム２０２は、編成カム２０がニードルジャックバットに作用する位相とほぼ同一の位相で、スライダのバットに作用する。スライダガイドカム２０２には、目受け用スライダカム１２１の保持続行用のカムルート１２１ａに連通するカムルート２０２が設けられる。カムルート２０２ａでスライダのバットの案内経路が分岐する位置に臨み、地板に対して出没する可動のスライダ用目移しレイジングカム２４１が配置される。スライダ用目移しレイジングカム２４１は、編成カム２０とスライダ用目移しカム１１１との間に配置されるスライダ用目移しレイジングカム４１と同等である。
【００２７】
図２は、図１の編地編成用カム装置２０１が編目を保持するスライダを歯口２に進出させた状態に保つ動作を示す。前後のキャリッジ２００Ｆ，２００Ｂは、右行２００Ｒ時、スライダ、ニードルジャック、セレクトジャック、セレクタの尾端側のバットを、軌跡３００Ｆ，３００Ｂ、３０１Ｆ，３０１Ｂ、３０２Ｆ，３０２Ｂ、３０３Ｆ，３０３Ｂでそれぞれ示すような経路を通るように案内する。
【００２８】
前のキャリッジ２００Ｆでは、軌跡３０３Ｆで示すように、先行側となる選針アクチュエータ１３ａによる選針で、セレクタの尾端側バットは上昇カム面１５ａで上昇する。セレクトジャックのバットは、軌跡３０２Ｆで示すように、可動プレッサ３０が設けられるＡポジションを通過するけれども、全部の可動プレッサ３０は没状態にしておく。レイジングカム２１の上昇カム面を突出させておくと、軌跡３０１Ｆで示すように、ニードルジャックのバットは、上昇カム面に当接して歯口２側に上昇するように案内される。ニードルジャックのバットが度山２４で歯口２から下降するまでに、スライダのバットの軌跡３００Ｆで示すように、スライダも歯口２に上昇し、針本体が下降しても上昇状態を保つので、編目は同じ編針のフックからスライダのタングに移行して保持される。スライダのバットは、スライダ用目移しレイジングカム２４１で目受け用ガイドカム１２１の保持続行用のカムルート１２１ａに案内され、編目を保持して歯口２に残る。
【００２９】
後のキャリッジ２００Ｂでは、後行側となる選針アクチュエータ１３ａでセレクタを選択する。セレクタは針溝内で浮いている選針状態となっているので、セレクタ押上げカム１５の上昇カム面１５ｂは、セレクタの尾端側バットを押上げる。キャリッジ２００Ｂを抜ける際には、セレクタガイドカム１６でセレクタの先端側バットを押下げるけれども、セレクタの選針状態は維持される。
【００３０】
図３は、図２に続くキャリッジ２００Ｆ，２００Ｂの左行２００Ｌで、目移しおよび編目形成を行う動作を示す。前後のキャリッジ２００Ｆ，２００Ｂは、スライダ、ニードルジャック、セレクトジャック、セレクタの尾端側のバットを、軌跡３１０Ｆ，３１０Ｂ、３１１Ｆ，３１１Ｂ、３１２Ｆ，３１２Ｂ、３１３Ｆ，３１３Ｂでそれぞれ示す経路を通るように案内する。
【００３１】
後のキャリッジ２００Ｂを、図２に示す移動方向の反転前に、セレクタが選針状態となって抜けている編針では、軌跡３１０Ｂ，３１１Ｂに示すように、スライダおよびニードルジャックのバットは、目移し用カム群１１０の作用を受ける。特に、目移し側目受けカム４３が突出状態となっているので、針本体のフックが歯口２に進出し、前針床のスライダが保持している編目を受取ることができる。
【００３２】
前のキャリッジ２００Ｆでは、図２で編目を保持して歯口２に残るスライダに、目受けカム群１２０の目受け用スライダカム１２１が作用し、スライダが歯口２に残る状態を続けてから、歯口２から前針床側に引込む。スライダが歯口２に残る状態が続く間に、後針床から歯口２に進出する編針のフックが二股に分れているタングに進入し、スライダが前針床側に引込まれると、タングに保持している編目が後針床から歯口２に進出する編針のフックに移される。
【００３３】
以上のような、前針床側のスライダに保持する編目を後針床側の編針のフックへ移す動作に続いて、前のキャリッジ２００Ｆの選針アクチュエータ１３ｂ、および後のキャリッジ２００Ｂの選針アクチュエータ１３ａでそれぞれ選針すれば、同一の編成コース内で、後行する編成カム２０で編目を編成することができる。編目の編成は、目移しに使用した編針でも、使用しなかった編針でも同様に行うことができる。後針床側で前針床側のスライダから編目をフックに受取った編針では、受取った編目に続く編目を編成することができる。
【００３４】
図４は、図１の編地編成用カム装置２０１を使用して、前針床から後針床に編目を移す場合の動作を、複合針の主要なバットの軌跡として示す。前後のキャリッジ２００Ｆ，２００Ｂによるスライダバット軌跡３５０Ｆ，３５０Ｂおよびニードルジャックバット軌跡３５１Ｆ，３５１Ｂは、スライダおよび針本体のフックの動作にそれぞれ対応する。前後のキャリッジ２００Ｆ，２００Ｂによるセレクトジャックバット軌跡３５２Ｆ，３５２Ｂおよびセレクタ尾端側バット軌跡３５３Ｆ，３５３Ｂは、セレクトジャックおよびセレクタの動作にそれぞれ対応する。スライダ用目移しレイジングカム２４１を沈めておけば、実質的な構成が図６の編地編成用カム装置１０１と同一になる。スライダ用目移しレイジングカム２４１は、スライダバットの軌跡に関係ないために、出没はどちらでもよい。このような構成による目移しの動作は、特許文献１にも、図６および図７に関して記載されている。
【００３５】
歯口２を挟む前後のキャリッジ２００Ｆ，２００Ｂが図の左方に移動する左行２００Ｌを行うと、前のキャリッジ２００Ｆの先行側となる選針アクチュエータ１３ｂで選針されるセレクタは、軌跡３５３Ｆに沿ってセレクタ押上げカム１５の上昇カム面１５ａで押上げられる。セレクタの押上げは、セレクトジャックを可動プレッサ３０が配置されているＡポジションまで軌跡３５２Ｆに沿って押上げる。可動プレッサ３０は、全部没状態であり、レイジングカム２１の上昇カム面が突出状態であるので、ニードルジャックのバットは、軌跡３５１Ｆのように上昇カム面に沿って歯口２側に上昇し、度山２３の下降カム面に沿って歯口２から下降する。スライダのバットは、軌跡３５０Ｆのように、針本体のフックとともに歯口２側に進出するように案内された後、突出状態のスライダ用目移しレイジングカム４１に案内されてスライダ用目移しカム１１１の作用を受け、歯口２側に残る。この際に、編目は、針本体のフックからスライダのタングに移行する。編目を保持するスライダの先端部分は二股に分れているので、後のキャリッジ２００Ｂで駆動される針本体のフックが隙間に進入し、編目を受け渡すことができる。
【００３６】
後のキャリッジ２００Ｂで駆動するセレクタは、尾端側バット軌跡３５３Ｂで示すように、先行側の選針アクチュエータ１３ａで選針状態となる。セレクトジャックバット軌跡３５２Ｂで示すように、セレクトジャックのバットは、突出状態の可動プレッサ３０による押圧を受け、ニードルジャックのバットも針溝に沈む。ニードルジャックバット軌跡３５１Ｂで示すように、レイジングカム２１の上昇カム面が突出していても、針溝に沈むニードルジャックのバットは通過する。突出状態の目受け側編目受けカム５１の作用で、針本体のフックが歯口２に進出して、前針床から歯口２に進出しているスライダが保持している編目を受取るように、ニードルジャックのバットが駆動される。スライダバット軌跡３５０Ｂで示すように、スライダは、歯口２に進出しない状態となる。
【００３７】
図５は、（ａ）で図１の編地編成用カム装置２０１でリブ組織の筒状編地１を編成する際に、空コースを設けないで、コース数を減少させることができる機能の切替え状態を示す。コースａ１では、キャリッジ２００Ｆ，２００Ｂの右行２００Ｒで、前針床に係止される裏目を、図２に示すように、前針床から歯口２に進出するスライダに保持する状態Ｈとする。コースａ２では、キャリッジの左行で、図３に示すように、編目を後針床から歯口２に進出する針本体のフックに移し、さらに前針床では表目の編成Ｋ、後針床では裏目の編成ｋを行う。コースａ３では、キャリッジの右行で、後針床で編成した裏目を、前針床に目移しする。この目移しは、図４でキャリッジを右行させ、後針床から前針床に編目を移す動作に相当する。コースａ４では、キャリッジの左行で、後針床に係止される裏目を、図２と同様に、後針床から歯口２に進出するスライダに保持する状態Ｈとする。コースａ５では、キャリッジの右行で、図３と同様に、編目を前針床から歯口２に進出する針本体のフックに移し、さらに前針床では裏目の編成ｋ、後針床では表目の編成Ｋを行う。コースａ６では、キャリッジの左行で、図４に示すように、前針床で編成した裏目を、前針床に目移しする。このようにして、空コースをなくして、必要なコース数を減少させることができる。
【００３８】
なお、（ｂ）に示すように、図７のコースｃ４，ｃ６、およびコースｃ１，ｃ１０でそれぞれ２回に分けて行う目移しを、コースｂ３，ｂ６でまとめて行うようにすれば、図５の編地編成用カム装置１０１でも、編地編成用カム装置２０１と同等にコース数を削減することができる。ただし、１回の目移しで移す編目の数が多くなり、負荷が増大してしまう。
【図面の簡単な説明】
【００３９】
【図１】本発明の実施の一形態として、キャリッジ２００の地板上に形成される編  地編成用カム装置２０１の概略的な構成を示す図である。
【図２】図１の編地編成用カム装置２０１が編目を保持するスライダを歯口２に進出させた状態に保つ動作を、複合針の主要なバットの軌跡として示す図である。
【図３】図２に続くキャリッジ２００Ｆ，２００Ｂの左行２００Ｌで、目移しおよび編目形成を行う動作を、複合針の主要なバットの軌跡として示す図である。
【図４】図１の編地編成用カム装置２０１を使用して、前針床から後針床に編目を移す場合の動作を、複合針の主要なバットの軌跡として示す図である。
【図５】編地編成用カム装置２０１でリブ組織の筒状編地１を編成する際に、空コースを設けないで、コース数を減少させることができる機能の切替え状態を、編地編成用カム装置２０１，１０１で比較して示す図である。
【図６】従来からの編地編成用カム装置１０１の構成の一例を、針床に臨む側から見た状態のカム配置として示す図である。
【図７】図６の編地編成用カム装置１０１で筒状のリブ組織を編成する場合に行う機能の切替え状態を示す図である。
【符号の説明】
【００４０】
１  筒状編地
２  歯口
１０  針本体用カム
１１  スライダ用カム
１２  選針機構
１３  選針アクチュエータ
２０  編成カム
４１，２４１  スライダ用目移しレイジングカム
１１０  目移し用カム群
１２０  目受け用カム群
２０１  編地編成用カム装置
２０２  スライダガイドカム
【図１】
2010090488.tif 000003
【図２】
2010090488.tif 000004
【図３】
2010090488.tif 000005
【図４】
2010090488.tif 000006
【図５】
2010090488.tif 000007
【図６】
2010090488.tif 000008
【図７】
2010090488.tif 000009